【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
測定光を照射した被検眼からの戻り光と参照光との干渉光に関する情報を用いて、前記被検眼の断層の情報を取得する取得部と、
前記測定光と前記参照光との光路長差を制御する光路長差制御部と、
前記測定光の合焦位置を制御する合焦位置制御部と、
前記光路長差及び前記合焦位置のうちの少なくとも一方が制御された後に取得された前記被検眼の断層の情報を用いて、前記被検眼の硝子体構造を検出する、硝子体構造検出部と、
を備え、
前記取得部は、前記検出された硝子体構造の位置情報に基づいて前記光路長差及び前記合焦位置が制御された後に、前記硝子体構造の断層の情報を取得する、眼科装置。
【請求項２】
前記硝子体構造検出部は、前記合焦位置が順次変更される毎に取得された前記被検眼の断層の情報を用いて、前記硝子体構造を検出する、請求項１に記載の眼科装置。
【請求項３】
前記光路長差制御部は、前記合焦位置制御部による前記合焦位置の変更に同期して、前記光路長差を変更する、請求項１又は２に記載の眼科装置。
【請求項４】
前記光路長差制御部は、前記合焦位置が所定量変更された際に、前記被検眼の深さ方向において前記合焦位置の変更方向と同一方向に移動した前記被検眼の断層の情報が得られるように、前記光路長差を変更する、請求項１乃至３のいずれか一項に記載の眼科装置。
【請求項５】
前記硝子体構造検出部は、
前記被検眼の断層の情報のうち前記被検眼の硝子体領域に対応する情報を用いて第１の評価値を算出し、
前記第１の評価値が閾値以上であるときに、前記硝子体構造を検出したと判定する、請求項１乃至４のいずれか一項に記載の眼科装置。
【請求項６】
前記硝子体構造検出部は、
前記被検眼の断層の情報を前記被検眼の所定の深さ範囲に対応する情報ごとに分割し、
分割された前記情報ごとに第２の評価値を算出して、該第２の評価値をそれぞれ比較し、
前記合焦位置制御部によって、比較された前記第２の評価値のうち最も高い評価値に対応する前記深さ範囲の位置に前記測定光の合焦位置を変更させ、
前記取得部によって取得した前記被検眼の断層の情報を用いて、前記硝子体構造を検出する、請求項５に記載の眼科装置。
【請求項７】
前記硝子体構造検出部は、前記第１の評価値が前記閾値を超えない場合に、
前記合焦位置制御部によって前記合焦位置を所定量変更させ、
前記光路長差制御部によって、前記被検眼の深さ方向において前記合焦位置の変更方向と同一方向に移動した前記被検眼の断層の情報が得られるように前記光路長差を所定量変更させ、
前記取得部によって取得した前記被検眼の断層の情報を用いて、前記硝子体構造を検出する、請求項５又は６に記載の眼科装置。
【請求項８】
前記光路長差制御部は、前記合焦位置制御部による前記合焦位置の変更に同期して、前記光路長差を変更し、
前記硝子体構造検出部は、前記第１の評価値が前記閾値を超えない場合に、
前記合焦位置制御部によって前記合焦位置を変更させ、
前記光路長差制御部によって、前記合焦位置の変更に再び同期して、前記光路長差を変更させ、
前記取得部によって取得した前記被検眼の断層の情報を用いて、前記硝子体構造を検出する、請求項５又は６に記載の眼科装置。
【請求項９】
前記第１の評価値は、前記被検眼の断層の情報から生成された重ね合わせ画像、前記被検眼の断層の情報から生成される断層画像の合計輝度、平均輝度、最大輝度、コントラスト、及び、所定の周波数成分の振幅のうちの少なくともいずれか一つを用いて算出される、請求項５乃至８のいずれか一項に記載に眼科装置。
【請求項１０】
異なる合焦位置及び異なる光路長差のうちの少なくとも一方に対応する前記被検眼の複数の断層の情報を用いて得られた複数の評価値のうちのいずれかの評価値に対応する合焦位置及び光路長差のうちの一方が、前記硝子体構造の前記位置情報として用いられる、請求項１乃至４のいずれか一項に記載の眼科装置。
【請求項１１】
前記複数の評価値のうち閾値よりも高い評価値に対応する合焦位置及び光路長差のうちの少なくとも一方が、前記硝子体構造の前記位置情報として用いられる、請求項１０に記載の眼科装置。
【請求項１２】
前記被検眼の眼底に対する前記測定光の入射角度を調整する入射角度調整部を更に備え、
前記入射角度調整部は、前記硝子体構造からの前記測定光の戻り光の光強度が、前記眼底に対して他の入射角度を有する測定光の前記硝子体構造からの戻り光の光強度よりも強くなるように、前記測定光の入射角度を調整し、
前記硝子体構造検出部は、前記入射角度を調整した測定光を用いて取得した前記被検眼の断層の情報を用いて前記硝子体構造を検出する、請求項１乃至１１のいずれか一項に記載の眼科装置。
【請求項１３】
前記光路長差制御部は、より瞳側の前記被検眼の断層の情報が取得されるように、前記光路長差を変更し、
前記合焦位置制御部は、前記合焦位置がより瞳側に移動するように、前記合焦位置を変更する、請求項１乃至１２のいずれか一項に記載の眼科装置。
【請求項１４】
前記取得部によって前記硝子体構造の断層の情報を取得した際の、被検者の情報、並びに、前記光路長差、前記合焦位置、及び入射角度のうちの少なくとも一つを含むパラメータを取得するパラメータ取得部を更に備え、
同一被検者の前記硝子体構造の情報を再び取得する際に、取得した前記パラメータを用いる、請求項１乃至１３のいずれか一項に記載の眼科装置。
【請求項１５】
前記被検眼の断層の情報から生成された断層画像のコントラストを調整するコントラスト調整部を更に備え、
前記硝子体構造検出部は、前記コントラストが調整された前記断層画像を用いて前記硝子体構造を検出する、請求項１乃至１４のいずれか一項に記載の眼科装置。
【請求項１６】
前記硝子体構造検出部は、前記硝子体構造を検出できないときに警告を発する、請求項１乃至１５のいずれか一項に記載の眼科装置。
【請求項１７】
測定光を照射した被検眼からの戻り光と参照光との干渉光に関する情報を用いて、前記被検眼の断層の情報を取得する取得部と、
前記測定光と前記参照光との光路長差を制御する光路長差制御部と、
前記測定光の合焦位置を制御する合焦位置制御部と、
前記光路長差及び前記合焦位置のうちの少なくとも一方が制御された後に取得された前記被検眼の断層の情報を用いて、評価値を算出する算出部と、
を備え、
前記取得部は、前記評価値が閾値以上であるときに前記被検眼の硝子体構造の断層の情報を取得する、眼科装置。
【請求項１８】
測定光を照射した被検眼からの戻り光と参照光との干渉光に関する情報を用いて、前記被検眼の断層の情報を取得する取得部と、
前記被検眼の眼底に対する前記測定光の入射角度を調整する入射角度調整部と、
前記入射角度を調整した測定光を用いて取得した前記被検眼の断層の情報を用いて、前記被検眼の硝子体構造を検出する、硝子体構造検出部と、
を備え、
前記入射角度調整部は、前記硝子体構造からの前記測定光の戻り光の光強度が、前記眼底に対して他の入射角度を有する測定光の前記硝子体構造からの戻り光の光強度よりも強くなるように、前記測定光の入射角度を調整し、
前記取得部は、前記入射角度を調整した測定光を用いて、前記硝子体構造の断層の情報を取得する、眼科装置。
【請求項１９】
前記取得部は、硝子体構造の複数の断層の情報を取得し、
前記硝子体構造の複数の断層の情報に基づいて生成された複数の断層画像を用いて１つの断層画像が生成される、請求項１乃至１８のいずれか一項に記載の眼科装置。
【請求項２０】
前記生成された複数の断層画像を加算平均することにより前記１つの断層画像が生成される、請求項１９に記載の眼科装置。
【請求項２１】
前記硝子体構造の断層の情報から生成された断層画像は、前記硝子体構造がより明確になるようにコントラスト調整される、請求項１乃至２０のいずれか一項に記載の眼科装置。
【請求項２２】
測定光を照射した被検眼からの戻り光と参照光との干渉光に関する情報を用いて、前記被検眼の断層の情報を取得する工程と、
前記測定光及び前記参照光の光路長差並びに前記測定光の合焦位置のうちの少なくとも一方が制御された後に取得された前記被検眼の断層の情報を用いて、前記被検眼の硝子体構造を検出する工程と、
前記検出された硝子体構造の位置情報に基づいて前記光路長差及び前記合焦位置が制御された後に、前記硝子体構造の断層の情報を取得する工程と、
を含む、眼科撮影方法。
【請求項２３】
測定光を照射した被検眼からの戻り光と参照光との干渉光に関する情報を用いて、前記被検眼の断層の情報を取得する工程と、
前記測定光及び前記参照光の光路長差並びに前記測定光の合焦位置のうちの少なくとも一方が制御された後に取得された前記被検眼の断層の情報を用いて、評価値を算出する工程と、
前記評価値が閾値以上であるときに、前記被検眼の硝子体構造の断層の情報を取得する工程と、
を含む、眼科撮影方法。
【請求項２４】
測定光を照射した被検眼からの戻り光と参照光との干渉光に関する情報を用いて、前記被検眼の断層の情報を取得する工程と、
前記被検眼の硝子体構造からの前記測定光の戻り光の光強度が、前記被検眼の眼底に対して他の入射角度を有する測定光の前記硝子体構造からの戻り光の光強度よりも強くなるように、前記被検眼の眼底に対する前記測定光の入射角度を調整する工程と、
前記入射角度を調整した測定光を用いて取得した前記被検眼の断層の情報を用いて、前記被検眼の硝子体構造を検出する工程と、
前記入射角度を調整した測定光を用いて、前記硝子体構造の断層の情報を取得する工程と、
を含む、眼科撮影方法。
【請求項２５】
コンピュータによって実行されると、前記コンピュータに対して請求項２２乃至２４のいずれか一項に記載の眼科撮影方法の各工程を実行させる、プログラム。
【手続補正２】
【補正対象書類名】明細書
【補正対象項目名】００１０
【補正方法】変更
【補正の内容】
【００１０】
本発明の一実施態様に係る眼科装置は、測定光を照射した被検眼からの戻り光と参照光との干渉光に関する情報を用いて、前記被検眼の断層の情報を取得する取得部と、前記測定光と前記参照光との光路長差を制御する光路長差制御部と、前記測定光の合焦位置を制御する合焦位置制御部と、前記光路長差及び前記合焦位置のうちの少なくとも一方が制御された後に取得された前記被検眼の断層の情報を用いて、前記被検眼の硝子体構造を検出する、硝子体構造検出部とを備え、前記取得部は、前記検出された硝子体構造の位置情報に基づいて前記光路長差及び前記合焦位置が制御された後に、前記硝子体構造の断層の情報を取得する。
【手続補正３】
【補正対象書類名】明細書
【補正対象項目名】００１１
【補正方法】変更
【補正の内容】
【００１１】
本発明の他の実施態様に係る眼科撮影方法は、測定光を照射した被検眼からの戻り光と参照光との干渉光に関する情報を用いて、前記被検眼の断層の情報を取得する工程と、前記測定光及び前記参照光の光路長差並びに前記測定光の合焦位置のうちの少なくとも一方が制御された後に取得された前記被検眼の断層の情報を用いて、前記被検眼の硝子体構造を検出する工程と、前記検出された硝子体構造の位置情報に基づいて前記光路長差及び前記合焦位置が制御された後に、前記硝子体構造の断層の情報を取得する工程とを含む。